(57)【特許請求の範囲】
【請求項１】
薬剤を塗布するに際して用いられる塗布具であって、
前記塗布具は、把持部と、前記把持部からの延在部に対して取り付けられた回転ローラと、前記回転ローラをカバーする為に前記把持部からの延在部に対して回転可能に取り付けられたカバー体とを具備してなり、
前記カバー体の回転中心位置よりも下方位置において前方側に突出した突出部がカバー体に設けられてなり、
前記回転ローラは前記薬剤の耐性を有する材料で構成されてなる
ことを特徴とする塗布具。
【請求項２】
カバー体の回転中心位置よりも下方位置において回転中心を有するローラがカバー体に設けられてなり、
前記ローラは、該ローラ前端が前記カバー体前端より突出している大きさである
ことを特徴とする請求項１の塗布具。
【請求項３】
カバー体の回転軸芯と回転ローラの回転軸芯とが同一ライン上に在るように構成されてなる
ことを特徴とする請求項１又は請求項２の塗布具。
【発明の詳細な説明】
【技術分野】
【０００１】
本発明は塗布具に関する。特に、黴取剤などの薬剤を塗布する為の塗布具に関する。
【背景技術】
【０００２】
従来から各種の塗布具が提案されている。特に、ペンキ等の塗料の塗布具が数多く提案されている。例えば、実開昭５７−３５８８０号公報、実開昭６２−２０２３８２号公報、実開平２−４８１７５号公報、特開２０００−１９７８４９号公報、特開２００２−１４３７５４号公報等において、塗料を塗布する為の塗布具として、回転ローラと、この回転ローラをカバーするカバー体とを備えたものが提案されている。
【０００３】
さて、これ等の提案の塗布具にあっては、カバー体は、基本的に、その姿勢が固定のものである。その理由は、カバー体が回転自在であると、回転ローラを転がすことによって塗料が塗布されるのであるが、この際、塗布面上にカバー体の端部が引っ掻くように当ってしまい、塗膜に引っ掻き傷を付けてしまうからである。
【特許文献１】実開昭５７−３５８８０号公報
【特許文献２】実開昭６２−２０２３８２号公報
【特許文献３】実開平２−４８１７５号公報
【特許文献４】特開２０００−１９７８４９号公報
【特許文献５】特開２００２−１４３７５４号公報
【発明の開示】
【発明が解決しようとする課題】
【０００４】
さて、塗布面が引っ掛かれるようになっても差し支え無い場合が有る。例えば、風呂場では黴が発生し易い。そこで、黴取剤を噴霧し、暫くの間、放置しておくと言った黴取作業が行なわれている。ところが、タイル間の目地に向けて黴取剤を噴霧しても、黴が全く付いて無いタイル主面に黴取剤が付くことが多く、無駄が多い。従って、このような場合には、塗布によって黴取剤を塗る方が好ましいであろうことは理解できる。その他にも塗布によって薬剤を塗る方が好ましい場合も多い。
【０００５】
さて、ペンキのような塗布の場合には、その塗膜面の美観が重要なことは言うまでも無い。
【０００６】
しかしながら、上述した黴取剤などの薬剤を塗布する場合には、塗布した面が引っ掻かれても差し支えが無い。なぜならば、美観が問題にならないからである。
【０００７】
そこで、塗布面の美観が問題にならない黴取剤などの薬剤を塗布によって設ける場合、上述の塗布具を用いることを考えた。
【０００８】
しかしながら、カバー体が固定タイプの塗布具では、その塗布作業性が良くなかった。
【０００９】
そこで、カバー体を回転自在なものとした。そして、カバー体が回転自在な場合、カバー体が塗布面に当って引っ掻くようになるものの、それは問題が無いことは上述した通りであり、そればかりか塗布作業性が良いことが判って来た。
【００１０】
しかしながら、カバー体が回転自在であると、塗布具を持った場合、重力の関係でカバー体が回転ローラの下側に位置することになる。従って、このままでは、塗布作業に入ることが出来ない。
【００１１】
従って、本発明が解決しようとする課題は、カバー体を回転自在なものとした場合、塗布作業に簡単に入れるようにした塗布具を提供することである。
【課題を解決するための手段】
【００１２】
前記の課題は、
薬剤を塗布するに際して用いられる塗布具であって、
前記塗布具は、把持部と、前記把持部からの延在部に対して取り付けられた回転ローラと、前記回転ローラをカバーする為に前記把持部からの延在部に対して回転可能に取り付けられたカバー体とを具備してなり、
前記カバー体の回転中心位置よりも下方位置において前方側に突出した突出部がカバー体に設けられてなり、
前記回転ローラは前記薬剤の耐性を有する材料で構成されてなる
ことを特徴とする塗布具によって解決される。
【００１３】
好ましくは、上記の塗布具であって、カバー体の回転中心位置よりも下方位置において回転中心を有するローラがカバー体に設けられてなり、前記ローラは、該ローラ前端が前記カバー体前端より突出している大きさであることを特徴とする塗布具によって解決される。
【００１４】
又、上記の塗布具であって、カバー体の回転軸芯と回転ローラの回転軸芯とが同一ライン上に在るように構成されてなることを特徴とする塗布具によって解決される。
【発明の効果】
【００１５】
回転可能なカバー体を設けたことから、例えば黴取剤などの薬剤の塗布に際して、カバー体が邪魔にならず、作業性良く塗布が出来る。
【００１６】
しかも、塗布に際して、回転ローラから薬剤が飛散しても、この飛散した薬剤はカバー体によって受け止められ、回転ローラから飛散した薬剤が顔に当たると言ったことを効果的に防止できる。
【００１７】
そして、カバー体の回転中心位置よりも下方位置において前方側に突出した突出部がカバー体に設けられていると、例えばカバー体の回転中心位置よりも下方位置において回転中心を有するローラがカバー体に設けられ、このローラはローラ前端がカバー体前端より突出している大きさであると、塗布に際して、カバー体の回転動作がスムーズに行われる。すなわち、カバー体が断面円弧形であるとすると、カバー体の重みで、カバー体は略Ｕ状（略凹状）になっている。つまり、塗布具を手にしたに過ぎない通常状態（非塗布作業時）にあっては、回転ローラの下半分がカバー体でカバーされた姿勢である。ところが、塗布に際しては、これが、例えば略９０°回転させられた状態に変わらなければ、カバー体が掃除の邪魔になる。この９０°の回転動作性は、上記の如きの突出部（ローラ）が設けられていると、非常に良くなる。
【００１８】
又、カバー体の回転軸芯と回転ローラの回転軸芯とが同一ライン上に在るように構成させていると、カバー体の回転に回転ローラが邪魔にならず、好都合である。
【発明を実施するための最良の形態】
【００１９】
本発明の塗布具は、例えば黴取剤などの薬剤を塗布する為の道具である。そして、把持部と、前記把持部からの延在部に対して取り付けられた回転ローラと、前記把持部からの延在部に対して取り付けられた前記回転ローラをカバーするカバー体とを具備する。このカバー体は、特に、回転自在に取り付けられている。又、カバー体の回転中心位置よりも下方位置において前方側に突出した突出部がカバー体に設けられている。例えば、カバー体の回転中心位置よりも下方位置において回転中心を有するローラがカバー体に設けられている。そして、このローラは、ローラ前端がカバー体前端より突出している大きさのものである。又、カバー体の回転軸芯と回転ローラの回転軸芯とが同一ライン上に在るように構成されている。
【００２０】
以下、更に詳しく説明する。
【００２１】
図１は、本発明の第１実施形態になる塗布具の斜視図である。
【００２２】
図１中、１は、塗布具Ａの把持部である。すなわち、塗布作業に際して、把持部１を手にして塗布が行なわれる。
【００２３】
２は、把持部１から延長した所定形状の延在部である。例えば、略「マ」形状になっている。尚、このような形状は、前記特許文献などに挙げた塗布具でも周知である。
【００２４】
３は回転ローラである。回転ローラ３は、その長手方向にそって軸受孔を有しており、この軸受孔に前記把持部１からの延在部２の先端が差し込まれている。従って、延在部２の先端の回りで回転ローラ３は自在に回転できるものとなっている。尚、このような回転構造も前記特許文献などで周知であるから、詳細な説明は省略される。そして、回転ローラ３は、布あるいは不織布、その他の耐薬剤（耐溶剤）性を有する材料で構成されている。
【００２５】
４はカバー体である。このカバー体４のカバー面（枠部および左右の壁面を除いた部分）４ａは透明ないしは半透明な樹脂で構成されている。勿論、不透明であっても良いが、薬剤の塗布に際して、回転ローラ３の具合などを観察できることから、透明ないしは半透明材で構成されていることが好ましい。カバー体の左右の壁面４ｂ，４ｃは、例えば半円形の形状をしている。従って、カバー面４ａは、断面が半円形である。勿論、半円を多少越えていても足りなくても差し支え無い。
【００２６】
本実施形態では、カバー体４の左右壁面４ｂ，４ｃに軸受部４ｄが構成されている。そして、一方の壁面４ｂの軸受部４ｄには、回転ローラ３の場合と同様に、把持部１からの延在部２の先端が差し込まれている。尚、軸受部４ｄは、壁面４ｂに形成された凹部と、壁面４ｂに設けられた先端内側に掛止用凸部を有する弾撥性の略Ｙ形状部材とで構成されている。従って、軸受部４ｄを延在部２から取り外すことが出来る。すなわち、着脱式のものとなっている。又、他方の壁面４ｃの軸受部（軸受部４ｄの構造とは異なり、壁面４ｃに形成された貫通孔）には軸６が差し込まれ、この差し込まれた軸６の先端が前記回転ローラの軸受孔に嵌っている。従って、回転ローラ３の回転軸芯を軸心としてカバー体４も自在に回転できるように取り付けられている。
【００２７】
５ａ，５ｂ，５ｃ，５ｄは円板（ローラ）である。そして、このローラ５ａ，５ｂ，５ｃ，５ｄも回転自在なように取り付けられている。ローラ５ａ，５ｂは壁面４ｂに取り付けられ、ローラ５ｃ，５ｄは壁面４ｃに取り付けられている。円板５ａ，５ｂ，５ｃ，５ｄの取り付け中心位置（高さ）は、カバー体４の回転中心位置よりも下方の位置である。尚、この下方位置とは、塗布具Ａの把持部１を自然な状態で手にしている場合、即ち、重力以外の力が作用していない状態（図１に示される状態）において、円板５ａ，５ｂ，５ｃ，５ｄの取り付け中心位置（高さ）がカバー体４の回転中心（延在部２）位置よりも下方の位置と言うことである。そして、円板５ａ，５ｂ，５ｃ，５ｄの大きさは、例えば円板５ａ，５ｃの前端がカバー体４の前端より前方側に飛び出し、円板５ｂ，５ｄの後端がカバー体４の後端より後方側に飛び出す大きさである。
【００２８】
さて、例えば黴取剤を浴槽の立設壁面におけるタイル間の目地に塗ろうとして、把持部１を手にした状態では、図１に示される如く、カバー体４は自身の重みでカバー面が凹状の姿勢である。すなわち、カバー体４の開口面は上側を向いている。
【００２９】
この状態（カバー体４の開口面を上側）にて、塗布具Ａを垂直な壁面に近付けると、先ず、垂直壁面に円板５ａ，５ｃが当たる。そうすると、この接触位置（高さ）はカバー体４の回転軸芯の高さより低い位置に在るから、作用・反作用の原理から判る通り、垂直壁面からカバー体４を時計方向に回転させる力が作用する。つまり、図２に示される如く、カバー体４が回転ローラ３を背後から覆う如く、カバー体４の開口面は水平方向から垂直方向に回転する。従って、難なく、このままで塗布モードに入ることが出来、そして塗布に際して、回転ローラ３から薬剤が飛散しても、カバー体４でカバーされているから、顔に薬剤が飛び散ることも無い。
【００３０】
さて、垂直面に対する塗布に大きな特長を奏することは上記した通りであるが、水平な天井面の塗布にも威力を発揮する。水平な天井面の塗布には、下から天井に向かって塗布具Ａが近付けられる。この時、カバー体４が回転自在であるにしても、自身の重さの関係で、カバー体４の開口面は常に上側を向いたままである。従って、回転ローラ３が薬剤を含んでいて、回転ローラ３から薬剤が滴るような場合が起きても、滴下した薬剤はカバー体４で受け止められ、顔に当たったり、床に落ちることも無い。従って、予め、床にシートを敷いた後で天井面の塗布と言った養生（予備）作業が不要であり、非常に簡便である。
【００３１】
尚、上記カバー体４を脱着できるものとしておくと、薬剤に回転ローラを漬す場合にカバー体４を外した状態で出来、非常に便利である。勿論、完全に取り外すのみでは無く、回転ローラ３の位置から離れた位置に移動できる構造のものであっても良い。
【００３２】
図３は、本発明の第２実施形態になる塗布具の説明図である。
【００３３】
本実施形態の塗布具Ｂも基本的な構造は前記実施形態の塗布具と同じである。
但し、前記実施形態の塗布具Ａは、回転ローラ３とカバー体４とが同一軸に回転自在に取り付けられたものであるのに対して、本実施形態の塗布具Ｂは回転ローラ３の取付軸とは異なる部材に取り付けられた点が異なる。
【００３４】
すなわち、把持部１（延在部２）からの第２の延在部１１に対して回転自在にカバー体４が取り付けられている。つまり、延在部１１の先端部１１ａが案内溝部１２を円周方向に動くことが出来るようになっている。そして、この回転自在な取付機構は、図３からも判る通り、遊星機構的なものである。尚、このような取付機構も取付方としては公知であるから、詳細な説明は省略される。但し、回転ローラ３を取り付けた延在部２とカバー体４を取り付けた延在部１１とが別部材であると、機構的には複雑になるものの、回転ローラ３を薬剤中に浸ける場合、延在部２に対して延在部１１を取り外す（両者の嵌合状態を解除する）ことが簡単に出来、カバー体４を洗浄液などの薬剤中に浸けないように出来、この点では有利である。
【図面の簡単な説明】
【００３５】
【図１】本発明になる第１実施形態の塗布具の斜視図
【図２】第１実施形態の塗布具を垂直壁面に当てた時の説明図
【図３】本発明になる第２実施形態の塗布具の説明図
【符号の説明】
【００３６】
１                            把持部
２                            延在部
３                            回転ローラ
４                            カバー体
４ａ                          カバー面
４ｂ，４ｃ                    左右壁面
４ｄ                          軸受部
５ａ，５ｂ，５ｃ，５ｄ        円板（ローラ）
代  理  人      宇  高    克  己
【図１】
0005257921.tif 000002
【図２】
0005257921.tif 000003
【図３】
0005257921.tif 000004